(57)【特許請求の範囲】
【請求項１】
前後の支持脚間へ水平に架設される支持枠上に、座部を設けると共に、前記座部を前後方向へスライド可能且つ任意の位置で固定可能とする座部調整機構を備えた椅子であって、
前記座部調整機構は、前記支持枠上で前後方向へスライド可能に設けられて上面に前記座部を一体に有するスライド板と、
前記スライド板と一体に設けられ、前記支持枠に対して出没可能で且つ前記支持枠側へ突出付勢されるプランジャと、
前記支持枠に前後方向へ複数設けられ、突出付勢される前記プランジャが挿入可能な挿入孔と、を含み、
前記スライド板の側部に、前記支持枠の外側に位置する横板を一体に設けて、前記横板に、前記プランジャを外側から直交状に貫通させて取り付けると共に、前記横板の下端に、前記支持枠の下面に係止して前記スライド板の上方への移動を規制する段部を設けたことを特徴とする椅子。
【請求項２】
前記前後の支持脚の下端に、調整脚を着脱可能として、前記調整脚の着脱の選択によって前記座部の高さを調整可能としたことを特徴とする請求項１に記載の椅子。
【発明の詳細な説明】
【技術分野】
【０００１】
本発明は、着座者の座位姿勢に合わせて座部を好適な位置に固定する座部調整機構を備えた椅子に関するものである。
【背景技術】
【０００２】
従来より、座部が移動する座部調整機構を備えた椅子としては、支持脚に設けられた座枠と、この座枠上に設けられる座板に取付けられ、座部を前後にスライド自在に支持するものが知られている（特許文献１）。
【先行技術文献】
【特許文献】
【０００３】
【特許文献１】実開平４−４３１４０号公報
【発明の概要】
【発明が解決しようとする課題】
【０００４】
しかしながら、このような座部調整機構を備えた椅子では、座部が前後にスライド自在に支持されており、運搬や保管が便利ではあるものの、構造が複雑であるという問題があった。
【０００５】
そこで、本発明の目的は、上記従来の座部調整機構を備えた椅子の問題点を解消し、運搬や保管が便利であることに加え、構造が単純な座部調整機構を備えた椅子を提供することにある。
【課題を解決するための手段】
【０００６】
本発明のうち、請求項１に記載された発明は、前後の支持脚間へ水平に架設される支持枠上に、座部を設けると共に、前記座部を前後方向へスライド可能且つ任意の位置で固定可能とする座部調整機構を備えた椅子であって、
前記座部調整機構は、前記支持枠上で前後方向へスライド可能に設けられて上面に前記座部を一体に有するスライド板と、
前記スライド板と一体に設けられ、前記支持枠に対して出没可能で且つ前記支持枠側へ突出付勢されるプランジャと、
前記支持枠に前後方向へ複数設けられ、突出付勢される前記プランジャが挿入可能な挿入孔と、を含み、
前記スライド板の側部に、前記支持枠の外側に位置する横板を一体に設けて、前記横板に、前記プランジャを外側から直交状に貫通させて取り付けると共に、前記横板の下端に、前記支持枠の下面に係止して前記スライド板の上方への移動を規制する段部を設けたことを特徴とするものである。
【０００７】
請求項２に記載された発明は、前記前後の支持脚の下端に、調整脚を着脱可能として、前記調整脚の着脱の選択によって前記座部の高さを調整可能としたことを特徴とするものである。
【発明の効果】
【０００９】
請求項１に記載された発明は、運搬や保管が便利であることに加え、構造が単純である。他にも、座部に座った状態でスライド板の移動位置の固定及び解除操作を容易に行うことができる。
また、部品点数が少なくて済み、組み立てや取り付けが容易であることからコスト削減に貢献する。他にも、取付後は外部から目立たない構造であり、外観を損なうこともない。
【００１０】
請求項２に記載された発明は、着座者の座高に合わせた椅子の高さ調整が可能であり、外観を損なうこともない。
【図面の簡単な説明】
【００１２】
【図１】椅子の側面を示す説明図である。
【図２】（ａ）は図１のＡ−Ａ断面を示し、（ｂ）はプランジャによるスライド板の固定が解除された状態を示す説明図である。
【図３】（ａ）は椅子の正面を示し、（ｂ）は（ａ）のＢ−Ｂ断面を示す説明図である。
【図４】（ａ）〜（ｃ）は、着座者の座位姿勢に合わせて座部がスライドした状態を示す説明図である（椅子は省略）。
【図５】椅子の変更例を示す説明図である。
【発明を実施するための形態】
【００１３】
以下、本発明の椅子の一実施形態について、図面に基づいて詳細に説明する。
【００１４】
図１は、椅子の側面を示す説明図である。図２は、プランジャによるスライド板の固定／固定解除を示す説明図である。図３は、椅子の正面と座部の断面を示す説明図である。図４は、座位姿勢に合わせて座部がスライドした状態を示す説明図である。
【００１５】
先ず初めに、図１に示すように、座部調整機構６を備えた椅子１は、前後の支持脚４，５間へ水平に架設される支持枠１４上に、座部７を設けると共に、座部７を前後方向へスライド可能且つ任意の位置で固定可能とするものである。
より具体的には、図２（ａ）に示すように、支持枠１４を、スライド板１６と、このスライド板１６の一方の端部に設けられる横板９の段部１０とで保持することで、この支持枠１４上でスライド板１６が前後方向にスライド自在に支持される構造である。また、スライド板１６上には座部７が一体に取り付けられている。
他にも、図３（ａ）に示すように、背板２の枠内には背もたれ３が設けられている。この背もたれ３は、座部７側へ膨出するように湾曲した形状のクッション材である。
【００１６】
次に、座部調整機構６は、横板９の外側に凹部１１が形成され、この凹部１１内に取り付けられたプランジャ１２の突出付勢される先端部１３が、座枠１４に穿設された各係止孔１５（１５ａ〜１５ｃ）の何れかに挿入されることでスライド板１６（座部７）が所定の位置に固定される構造である。これら各係止孔１５ａ〜１５ｃの間隔は約５０ｍｍである。
【００１７】
また、図３（ａ）（ｂ）に示すように、座部７は着座面８全体が凹状に形成されたもので、その中でも尻の接触する部分が最も深く形成されており、着座すると身体から受ける圧力を内部に分散するクッション材である。
【００１８】
このようにして構成される座部調整機構６を備えた椅子１による座部７のスライド及びスライドの固定／固定解除は、以下のように行われる。
先ず初めに、図４（ａ）に示すように、着座者２０が座部７の着座面８上に着座する。  そして、図２（ａ）に示すように、この状態から横板９の凹部１１内に取り付けられたプランジャ１２を矢印が示す方向に引き上げる。すると、図２（ｂ）に示すように、支持枠１４の挿入孔１５ｂ内に挿入された突起１３もこれに従って引き上げられることとなり、座部調整機構６による座部７のスライドの固定が解除される。
【００１９】
次に、矢印４０が示す方向に座部７を前進させると、着座者２０の上半身は矢印４１が示す方向に倒れることとなる。
そして、プランジャ１２が挿入孔１５ａの位置まで移動したところで、引き上げているプランジャ１２を元の状態に戻すと、図２（ａ）に示すように、挿入孔１５ａ内に突起１３が挿入されることとなり、座部調整機構６によって座部７のスライドが固定される。
一方、この状態から図４（ａ）に示す状態に戻す場合は、これらの手順と逆の手順を行う。
【００２０】
また、図４（ａ）に示す状態から矢印４２が示す方向に座部７を後退させると、着座者２０の上半身は矢印４３が示す方向に起き上がることとなる。
そして、図２（ａ）に示すように、プランジャ１２が挿入孔１５ｃの位置まで移動したところで、引き上げていたプランジャ１２を元の状態に戻すと、挿入孔１５ｃ内に突起１３が挿入されることとなり、座部調整機構６によって座部７のスライドが固定される。
一方、この状態から図４（ａ）に示す状態に戻す場合は、これらの手順と逆の手順を行う。
【００２１】
上記の如く構成される座部調整機構６を備えた椅子１は、座部調整機構６は、支持枠１４上で前後方向へスライド可能に設けられて上面に座部７を一体に有するスライド板１６と、スライド板１６と一体に設けられ、支持枠１４に対して出没可能で且つ支持枠１４側へ突出付勢されるプランジャ１２と、支持枠１４に前後方向へ複数設けられ、突出付勢されるプランジャ１２が挿入可能な挿入孔１５ａ〜１５ｃと、を含んでなることにより、運搬や保管が便利であることに加え、構造が単純である。他にも、座部７に座った状態でスライド板１６の移動位置の固定及び解除操作を容易に行うことができる。
【００２２】
また、スライド板１６の側部に、支持枠１４の外側に位置する横板９を一体に設けて、横板９に、プランジャ１２を外側から直交状に貫通させて取り付けると共に、横板９の下端に、支持枠１４の下面に係止してスライド板１６の上方への移動を規制する段部１０を設けたことにより、部品点数が少なくて済み、組み立てや取り付けが容易であることからコスト削減に貢献する。他にも、取付後は外部から目立たない構造であり、外観を損なうこともない。
【００２３】
なお、本発明にかかる座部調整機構を備えた椅子は、上記した実施の形態に何ら限定されるものではなく、本発明の趣旨を逸脱しない範囲で、挿入孔とプランジャとの位置、椅子の形状や材質、大きさ等を適宜変更することができる。
【００２４】
例えば、図５（ａ）（ｂ）に示すように、前後の支持脚４，５の下端に、調整脚２５〜２７を図示しないボルトにより着脱可能として、第一調整脚２５や第二調整脚２６，２７の着脱の選択によって座部７の高さを調整可能としたことにより、着座者２０の座高に合わせた椅子１の高さ調整が可能であり、外観を損なうこともない。
この場合、先ず図５（ａ）に示す場合では、支持脚４，４と支持脚５，５との下端に、第一調整脚２５が取り付けられており、椅子１の高さの微調整が可能である。
更に、図５（ｂ）に示す場合では、第一調整脚２５の他に第二調整脚２６，２７が取り付けられており、更に椅子１の高さの調整が可能である。
【００２５】
他にも、横板９は、スライド板１６の端部の一方のみに設けられているが、他方の端部や両方の端部に取り付けても良い。この場合、スライド板１６の固定が一層強固に行われることとなる。
【００２６】
また、挿入孔１５は３つだけである必要はなく、数を増やして支持枠１６のスライドする範囲を広くしたり、挿入孔１５ａ〜１５ｃの３箇所の間に追加してより細かく調整しても良い。更に、各係止孔１５ａ〜１５ｃ同士の間隔は、必ずしも５０ｍｍである必要はなく、１００ｍｍとしても良いし、適宜変更可能である。
【符号の説明】
【００２７】
１・・椅子、２・・背板、３・・背もたれ、４・・支持脚（前方）、５・・支持脚（後方）、６・・座部調整機構、７・・座部、８・・着座面、９・・横板、１０・・段部、１１・・凹部、１２・・プランジャ、１３・・突起、１４・・支持枠、１５・・挿入孔、１６・・スライド板、２０・・着座者、２５・・第一調整脚、２６・・第二調整脚（前方）、２７・・第二調整脚（後方）、３０・・当接位置、３１・・当接位置、３２・・当接位置。
【図１】
0006548420.tif 000002
【図２】
0006548420.tif 000003
【図３】
0006548420.tif 000004
【図４】
0006548420.tif 000005
【図５】
0006548420.tif 000006